(57)【要約】【課題】安定して動作できる安定器互換型発光ダイオードランプを提供する。【解決手段】本発明による安定器互換型発光ダイオードランプは、発光ダイオードを有する光源部と、前記光源部に電源を供給及び制御する駆動部とを含み、前記駆動部は、安定器を有するランプ機構の第１交流電源に接続する第１電源接続部、及び前記ランプ機構の第２交流電源に接続する第２電源接続部を有する、第１接続部と、前記ランプ機構の第３及び第４交流電源に各々接続するための第３及び第４電源接続部を有する、第２接続部と、前記第１接続部から供給された交流を全波整流する第１整流部と、前記第２接続部から供給された交流を半波整流して前記第１整流部と電気的に合成する、第２整流部と、前記第１及び第２整流部の合成電源を前記光源部に供給するように形成され、前記光源部に定格電源が供給されるように制御する、定電流制御部とを含む。【選択図】図４
2019129156.tif 000002
【特許請求の範囲】
【請求項１】
少なくとも１つの発光ダイオードを有する光源部と、
前記光源部に電源を供給及び制御するように構成される駆動部とを含み、
前記駆動部は、
安定器を有するランプ機構の第１交流電源に接続するための第１電源接続部、及び前記ランプ機構の第２交流電源に接続するための第２電源接続部を有する、第１接続部と、
前記ランプ機構の第３交流電源に接続するための第３電源接続部、及び前記ランプ機構の第４交流電源に接続するための第４電源接続部を有する、第２接続部と、
前記第１接続部に接続され、前記第１接続部を介して供給された交流を全波整流（full wave rectification）するように形成される、第１整流部と、
前記第２接続部に接続され、前記第２接続部を介して供給された交流を半波整流（half wave rectification）するように形成され、前記第１整流部と電気的に合成される、第２整流部と、
前記第１整流部と前記第２整流部の合成電源を前記光源部に供給するように形成され、前記光源部に定格電源が供給されるように制御する、定電流制御部とを含む、安定器互換型発光ダイオードランプ。
【請求項２】
前記第１電源接続部と前記第２電源接続部の少なくとも一方に接続され、定格電圧又は電流の異常時に回路を遮断するように形成される第１ＰＴＣ素子をさらに含む、請求項１に記載の安定器互換型発光ダイオードランプ。
【請求項３】
前記第３電源接続部と前記第４電源接続部とは、互いに短絡（short）するように形成される、請求項１に記載の安定器互換型発光ダイオードランプ。
【請求項４】
前記第３電源接続部及び前記第４電源接続部に接続され、定格電圧又は電流の異常時に回路を遮断するように形成される第２ＰＴＣ素子をさらに含む、請求項３に記載の安定器互換型発光ダイオードランプ。
【請求項５】
前記第１整流部は、前記第１電源接続部及び前記第２電源接続部がブリッジ方式で接続される第１ダイオード乃至第４ダイオードを含む、請求項１に記載の安定器互換型発光ダイオードランプ。
【請求項６】
前記第２整流部は、直列に接続される第５ダイオード及び第６ダイオードを含み、
前記第２ＰＴＣ素子は、前記第５ダイオードと前記第６ダイオード間に接続される、請求項４に記載の安定器互換型発光ダイオードランプ。
【請求項７】
前記第２整流部は、互いに直列に接続され、前記第５ダイオード及び前記第６ダイオードと並列に接続される第１コンデンサ及び第２コンデンサをさらに含み、
前記第２ＰＴＣ素子は、前記第１コンデンサと前記第２コンデンサ間に接続される、請求項６に記載の安定器互換型発光ダイオードランプ。
【請求項８】
前記第１整流部と前記第２整流部の合成電源の電圧を平滑する第３コンデンサをさらに含む、請求項１に記載の安定器互換型発光ダイオードランプ。
【請求項９】
前記第１整流部と前記第２整流部の合成電源に接続されるヒューズをさらに含む、請求項１に記載の安定器互換型発光ダイオードランプ。
【請求項１０】
前記光源部の正極に接続するための正極接続端子と、
前記光源部の負極に接続するための負極接続端子とをさらに含み、
前記定電流制御部は、
パルス幅変調（Pulse Width Modulation）制御のための駆動ＩＣと、
前記負極接続端子に接続されるスイッチングトランジスタと、
前記スイッチングトランジスタと前記駆動ＩＣの電流検知部間に接続され、互いに並列に接続される複数の抵抗と、
前記スイッチングトランジスタと前記負極接続端子間に接続されるインダクタンスとを含む、請求項１に記載の安定器互換型発光ダイオードランプ。
【請求項１１】
安定器を有するランプ機構に着脱できる形態であって、複数の発光ダイオードが設けられた発光ダイオード基板が内部に収容されるランプ本体と、
前記ランプ本体に設けられ、前記複数の発光ダイオードに電源を供給及び制御するように構成される駆動部とを含み、
前記駆動部は、
前記ランプ本体の第１交流電源に接続するための第１電源接続部、及び前記ランプ本体の第２交流電源に接続するための第２電源接続部を有する、第１接続部と、
前記ランプ本体の第３交流電源に接続するための第３電源接続部、及び前記ランプ本体の第４交流電源に接続するための第４電源接続部を有する、第２接続部と、
前記第１接続部に接続され、前記第１接続部を介して供給された交流を全波整流するように形成される、第１整流部と、
前記第２接続部に接続され、前記第２接続部を介して供給された交流を半波整流するように形成され、前記第１整流部と電気的に合成される、第２整流部と、
前記第１整流部と前記第２整流部の合成電源を前記光源部に供給するように形成され、前記光源部に定格電源が供給されるように制御する、定電流制御部とを含む、安定器互換型発光ダイオードランプ。
【請求項１２】
前記ランプ本体の一箇所に設けられ、電源基板が内部に収容されるソケット部と、
前記ソケット部に固定され、前記安定器から供給される電源を前記電源基板に伝達するための複数の接続ピンと、
前記電源基板に設けられ、前記電源基板を前記ソケット部に固定する際に前記接続ピンが弾性的に接触できるように形成される弾性接点部とをさらに含む、請求項１１に記載の安定器互換型発光ダイオードランプ。
【発明の詳細な説明】
【技術分野】
【０００１】
本発明は、安定器互換型発光ダイオードランプに関する。
【背景技術】
【０００２】
発光ダイオード（Light Emitting Diode; LED）は、電界発光効果を利用するものであり、開発以来、様々な分野に応用されてきている。照明分野においても、低消費電力、長寿命という利点により、発光ダイオードを用いた製品がこれまで用いられてきた白熱ランプや蛍光ランプを代替している。
【０００３】
照明器具としての蛍光ランプにおいては、光を生成するという特性上、安定器が用いられるが、安定器は、放電管に高い電圧を生成したり、放電が持続するように安定した電圧を印加する中核部品である。蛍光ランプには、スタータ及び磁気式安定器を用いる方式（グロー方式）と、電子式安定器を用いる方式がある。しかし、従来の蛍光ランプを発光ダイオードランプに交換する一般ユーザは、使用中の蛍光ランプの安定器がいかなる方式であるか、発光ダイオードランプに交換するためにスタータを除去すべきか、分かりにくかったり紛らわしかったりし、不注意で与えられたマニュアル通りに正しく装着できないこともある。
【０００４】
このように、蛍光ランプを用いる様々な状況下で、従来の蛍光ランプを交換させなければならない発光ダイオードランプ製造者にとっては、安定器の種類又はスタータの有無に応じた条件を適用することなく安定して動作させることのできる製品が求められる。
【先行技術文献】
【特許文献】
【０００５】
【特許文献１】韓国公開特許第１０−２０１２−００２４１６４号公報
【特許文献２】韓国登録特許第１０−１６５２２４１号公報
【発明の概要】
【発明が解決しようとする課題】
【０００６】
本発明の目的は、蛍光ランプに用いられる安定器の種類又はスタータの着脱などに関係なく、様々な安定器に連結されて安定して動作することのできる安定器互換型発光ダイオードランプを提供することにある。
【０００７】
本発明の他の目的は、安定器から供給される電源の短絡部位を変化させてグロー方式においても電気の流れが円滑になるようにし、整流方式を変化させて発光ダイオード回路に高い電圧が誘起される現象を低減できるようにすることにある。
【０００８】
本発明のさらに他の目的は、老朽した安定器の場合に発生し得る高い誘起電圧に対応してそれを遮断できるようにすることにある。
【課題を解決するための手段】
【０００９】
本発明による安定器互換型発光ダイオードランプは、少なくとも１つの発光ダイオードを有する光源部と、前記光源部に電源を供給及び制御するように構成される駆動部とを含み、前記駆動部は、安定器を有するランプ機構の第１交流電源に接続するための第１電源接続部、及び前記ランプ機構の第２交流電源に接続するための第２電源接続部を有する、第１接続部と、前記ランプ機構の第３交流電源に接続するための第３電源接続部、及び前記ランプ機構の第４交流電源に接続するための第４電源接続部を有する、第２接続部と、前記第１接続部に接続され、前記第１接続部を介して供給された交流を全波整流（full wave rectification）するように形成される、第１整流部と、前記第２接続部に接続され、前記第２接続部を介して供給された交流を半波整流（half wave rectification）するように形成され、前記第１整流部と電気的に合成される、第２整流部と、前記第１整流部と前記第２整流部の合成電源を前記光源部に供給するように形成され、前記光源部に定格電源が供給されるように制御する、定電流制御部とを含んでもよい。
【００１０】
本発明の一態様によれば、前記安定器互換型発光ダイオードランプは、前記第１電源接続部と前記第２電源接続部の少なくとも一方に接続され、定格電圧又は電流の異常時に回路を遮断するように形成される第１ＰＴＣ素子をさらに含んでもよい。
【００１１】
本発明の一態様によれば、前記第３電源接続部と前記第４電源接続部とは、互いに短絡（short）するように形成されてもよい。
【００１２】
本発明の一態様によれば、前記安定器互換型発光ダイオードランプは、前記第３電源接続部及び前記第４電源接続部に接続され、定格電圧又は電流の異常時に回路を遮断するように形成される第２ＰＴＣ素子をさらに含んでもよい。
【００１３】
本発明の一態様によれば、前記第１整流部は、前記第１電源接続部及び前記第２電源接続部がブリッジ方式で接続される第１ダイオード乃至第４ダイオードを含んでもよい。
【００１４】
本発明の一態様によれば、前記第２整流部は、直列に接続される第５ダイオード及び第６ダイオードを含み、前記第２ＰＴＣ素子は、前記第５ダイオードと前記第６ダイオード間に接続されてもよい。
【００１５】
本発明の一態様によれば、前記第２整流部は、互いに直列に接続され、前記第５ダイオード及び前記第６ダイオードと並列に接続される第１コンデンサ及び第２コンデンサをさらに含み、前記第２ＰＴＣ素子は、前記第１コンデンサと前記第２コンデンサ間に接続されてもよい。
【００１６】
本発明の一態様によれば、前記安定器互換型発光ダイオードランプは、前記第１整流部と前記第２整流部の合成電源の電圧を平滑する第３コンデンサをさらに含んでもよい。
【００１７】
本発明の一態様によれば、前記安定器互換型発光ダイオードランプは、前記第１整流部と前記第２整流部の合成電源に接続されるヒューズをさらに含んでもよい。
【００１８】
本発明の一態様によれば、前記安定器互換型発光ダイオードランプは、前記光源部の正極に接続するための正極接続端子と、前記光源部の負極に接続するための負極接続端子とをさらに含み、前記定電流制御部は、パルス幅変調（Pulse Width Modulation）制御のための駆動ＩＣと、前記負極接続端子に接続されるスイッチングトランジスタと、前記スイッチングトランジスタと前記駆動ＩＣの電流検知部間に接続され、互いに並列に接続される複数の抵抗と、前記スイッチングトランジスタと前記負極接続端子間に接続されるインダクタンスとを含んでもよい。
【００１９】
また、本発明は、安定器を有するランプ機構に着脱できる形態であって、複数の発光ダイオードが設けられた発光ダイオード基板が内部に収容されるランプ本体と、前記ランプ本体に設けられ、前記複数の発光ダイオードに電源を供給及び制御するように構成される駆動部とを含み、前記駆動部は、前記ランプ本体の第１交流電源に接続するための第１電源接続部、及び前記ランプ本体の第２交流電源に接続するための第２電源接続部を有する、第１接続部と、前記ランプ本体の第３交流電源に接続するための第３電源接続部、及び前記ランプ本体の第４交流電源に接続するための第４電源接続部を有する、第２接続部と、前記第１接続部に接続され、前記第１接続部を介して供給された交流を全波整流するように形成される、第１整流部と、前記第２接続部に接続され、前記第２接続部を介して供給された交流を半波整流するように形成され、前記第１整流部と電気的に合成される、第２整流部と、前記第１整流部と前記第２整流部の合成電源を前記光源部に供給するように形成され、前記光源部に定格電源が供給されるように制御する、定電流制御部とを含む、安定器互換型発光ダイオードランプを提供する。
【００２０】
本発明の一態様によれば、前記安定器互換型発光ダイオードランプは、前記ランプ本体の一箇所に設けられ、電源基板が内部に収容されるソケット部と、前記ソケット部に固定され、前記安定器から供給される電源を前記電源基板に伝達するための複数の接続ピンと、前記電源基板に設けられ、前記電源基板を前記ソケット部に固定する際に前記接続ピンが弾性的に接触できるように形成される弾性接点部とをさらに含んでもよい。
【発明の効果】
【００２１】
本発明による安定器互換型発光ダイオードランプによれば、安定器から第１接続部の第１電源接続部及び第２電源接続部を介して供給された交流は全波整流され、第２接続部の第３電源接続部及び第４電源接続部を介して供給された交流は半波整流されて光源部に供給されるものであり、半波整流部にもグロー方式に用いられる結線構造を適用することができる。このような入力方式は、安定器からの交流電源をランプの両側でそれぞれのブリッジ方式により直流に変換して使用していた従来の入力方式において発生し得るダイオードの過熱を効果的に防止することができる。すなわち、第１整流部で変換された直流と第２整流部で変換された直流が重畳して発光ダイオード回路に高い電圧が誘起される現象が低減され、発光ダイオードランプを安定に点灯維持することができる。また、第２接続部の第３電源接続部と第４電源接続部とを短絡させるので、電子式安定器に対比してランプのフィラメントに対応する抵抗を取り付けた場合に生じる結線の流れ上スタータを除去して使用しなければならない不便さを解消することができる。
【００２２】
本発明の一態様によれば、第２整流部が第１コンデンサ及び第２コンデンサを含むので、整流時に発生するノイズを除去することができる。
【００２３】
本発明の他の態様によれば、第１整流部又は第２整流部にＰＴＣ素子を接続するので、定格以上の電圧又は電流が流入した場合にそれを遮断して製品信頼性を向上させることができる。
【図面の簡単な説明】
【００２４】
【図１】本発明に係る一例による安定器互換型発光ダイオードランプが取り付けられた照明装置の概念図である。
【図２】本発明に係る他の例による安定器互換型発光ダイオードランプが取り付けられた照明装置の概念図である。
【図３】本発明に係るさらに他の例による安定器互換型発光ダイオードランプが取り付けられた照明装置の概念図である。
【図４】本発明の一実施形態による安定器互換型発光ダイオードランプの回路図である。
【図５】本発明の一実施形態における発光部の回路図である。
【図６】本発明の一実施形態による安定器互換型発光ダイオードランプの外観斜視図である。
【図７】図６の安定器互換型発光ダイオードランプを反対側から見た分解斜視図である。
【図８】本発明の一実施形態における放熱リングと発光ダイオード基板の組立構造を説明するための分解斜視図である。
【図９】本発明の一実施形態における拡散リングと放熱リングの組立構造を説明するための概念図である。
【図１０】本発明の一実施形態における接続ピンと電源基板の接続構造を説明するための図であり、電源基板が下部ソケットセグメントに取り付けられる前の状態を示す。
【図１１】本発明の一実施形態における接続ピンと電源基板の接続構造を説明するための図であり、電源基板が下部ソケットセグメントに取り付けられた状態を示す。
【図１２】本発明の他の実施形態における接続ピンと電源基板の接続構造を説明するための図であり、電源基板が下部ソケットセグメントに取り付けられる前の状態を示す。
【図１３】本発明の他の実施形態における接続ピンと電源基板の接続構造を説明するための図であり、電源基板が下部ソケットセグメントに取り付けられた状態を示す。
【図１４】本発明の他の実施形態における接続ピンと電源基板の接続構造を説明するための図であり、電源基板の切欠型レセプタクルに接続ピンの第２延長部が接続された状態を示す拡大図である。
【発明を実施するための形態】
【００２５】
以下、本発明による安定器互換型発光ダイオードランプについて添付図面を参照して詳細に説明する。
【００２６】
本発明による安定器互換型発光ダイオードランプは、蛍光ランプを点灯させるための要素を有する従来の照明システムにおいて、安定器やスタータ又は安定器の種類に関係なく、蛍光ランプのみを発光ダイオードランプに交換しても優れた安定性及びランプとしての機能を確保できるように構成される。
【００２７】
図１は 本発明に係る一例による安定器互換型発光ダイオードランプ２００が取り付けられた照明装置１００の概念図である。安定器互換型発光ダイオードランプ２００の電気的構成については後述する。
【００２８】
図１に示すように、交流電源は、磁気式安定器１０１、発光ダイオードランプ２００及びスタータ１０２に接続されて回路を構成する。磁気式安定器１０１は、外部から交流電源（ＡＣ）が供給され、蛍光ランプが取り付けられた場合のように発光ダイオードランプ２００に交流電源を供給する。発光ダイオードランプ２００は、規格や形状の面で、従来取り付けられていた蛍光ランプと類似するか又は変形した形状を有するようにしてもよい。ただし、発光ダイオードランプ２００をランプ機構に電気的に接続するための構造は、従来の蛍光ランプと同じである。よって、発光ダイオードランプ２００は、従来の蛍光ランプが接続された場合に必要な要素である磁気式安定器１０１及びスタータ１０２（グロースタータ又はラピッドスタータ）に接続され、スタータ１０２のない場合も点灯可能に構成される。
【００２９】
図２は本発明に係る他の例による安定器互換型発光ダイオードランプ２００が取り付けられた照明装置１００’の概念図である。本例は、前述した磁気式安定器１０１の代わりに、スタータを必要としない電子式安定器１０１’を用いた場合である。発光ダイオードランプ２００は、本例のようにスタータのない場合も、蛍光ランプが取り付けられた場合のように、電子式安定器１０１’からの電源供給のための電気的要素を含む。
【００３０】
図３は本発明に係るさらに他の例による安定器互換型発光ダイオードランプ２００’が取り付けられた照明装置１００’’の概念図である。本例においては、円形状に形成された図１及び図２の発光ダイオードランプ２００とは異なり、直線ロッド状に形成された発光ダイオードランプ２００’が取り付けられる。それに加え、磁気式安定器１０１’’及びスタータ１０２’が取り付けられるが、図２のように電子式安定器が取り付けられた場合も、本例の発光ダイオードランプ２００’を用いることができる。
【００３１】
このように、従来の蛍光ランプを用いていた様々な照明装置において、本発明による安定器互換型発光ダイオードランプ２００、２００’は、発光ダイオードが有する様々な利点、すなわち低電力、高耐久性などの利点と共に、様々な安定器に互換使用できるという利点を有する。
【００３２】
図４は本発明の一実施形態による安定器互換型発光ダイオードランプ２００の回路図であり、図５は本発明の一実施形態における光源部２４１の回路図である。
【００３３】
本発明による安定器互換型発光ダイオードランプ２００は、少なくとも１つの発光ダイオードを有する光源部２４１と、光源部２４１に電源を供給及び制御するように構成される駆動部２０１とを含む。駆動部２０１は、図１〜図３のような照明装置の安定器１０１、１０１’、１０１’’から供給される交流電源を光源部２４１に供給し、制御する。光源部２４１を構成する複数の発光ダイオードは、並列と直列を組み合わせたアレイ状に配置してもよい。図５においては、６個の発光ダイオードが並列に接続されて発光ダイオード群が形成され、１０個の発光ダイオード群が直列に接続されて光源部２４１が構成される。
【００３４】
図４に示すように、駆動部２０１は、第１接続部２０２、第２接続部２０３、第１整流部２０４、第２整流部２０５、定電流制御部２０６などを備える。
【００３５】
第１接続部２０２及び第２接続部２０３は、発光ダイオードランプ２００が電源供給を受けるためにランプ機構に接続する上で必要な構成である。具体的には、第１接続部２０２は、図１〜図３のような安定器を有するランプ機構の第１交流電源に接続するための第１電源接続部ＡＣ１と、ランプ機構の第２交流電源に接続するための第２電源接続部ＡＣ２とを有する。第１電源接続部ＡＣ１と第２電源接続部ＡＣ２の少なくとも一方には、定格電圧又は電流の異常時に回路を遮断するように形成される第１ＰＴＣ素子ＰＴＣ１が接続されてもよい。
【００３６】
第２接続部２０３は、ランプ機構の第３交流電源に接続するための第３電源接続部ＡＣ３と、ランプ機構の第４交流電源に接続するための第４電源接続部ＡＣ４とを有する。第２接続部２０３は、図１又は図２のような円形ランプの場合、第１接続部２０２に隣接して配置され、図３のような直線ロッド状の場合、第１接続部２０２の反対側に配置されるようにしてもよい。第３電源接続部ＡＣ３と第４電源接続部ＡＣ４とは、互いに短絡（short）するように形成されてもよい。短絡した第３電源接続部ＡＣ３及び第４電源接続部ＡＣ４には、定格電圧又は電流の異常時に回路を遮断するように形成される第２ＰＴＣ素子ＰＴＣ２が接続されてもよい。
【００３７】
第１整流部２０４は、第１接続部２０２に接続され、第１接続部２０２を介して供給された交流を全波整流（full wave rectification）するように形成される。図４に示すように、第１整流部２０４は、第１電源接続部ＡＣ１及び第２電源接続部ＡＣ２をブリッジ方式で接続するための第１ダイオードＤ１、第２ダイオードＤ２、第３ダイオードＤ３及び第４ダイオードＤ４を含んでもよい。
【００３８】
第２整流部２０５は、第２接続部２０３に接続され、第２接続部２０３を介して供給された交流を半波整流（half wave rectification）するように形成される。図４に示すように、第２整流部２０５は、直列に接続される第５ダイオードＤ５及び第６ダイオードＤ６を含み、第２ＰＴＣ素子ＰＴＣ２は、第５ダイオードＤ５と第６ダイオードＤ６間に接続される。また、第２整流部２０５は、第５ダイオードＤ５及び第６ダイオードＤ６と並列に接続される第１コンデンサＣ１及び第２コンデンサＣ２をさらに含む。このような第１コンデンサＣ１及び第２コンデンサＣ２は、半波整流時に発生するノイズを除去する役割を果たす。第１コンデンサＣ１及び第２コンデンサＣ２は、直列に接続され、第２ＰＴＣ素子ＰＴＣ２は、第１コンデンサＣ１と第２コンデンサＣ２間に接続される。
【００３９】
第２整流部２０５は、第１整流部２０４と電気的に合成されるように構成される。駆動部２０１には、第１整流部２０４と第２整流部２０５の合成電源の電圧を平滑する第３コンデンサＣ３が配置されてもよく、また、直流に変換された後も定格電流の異常が発光ダイオード回路側に影響を与えることを遮断するためのヒューズＦ１が接続されてもよい。
【００４０】
このように、第３電源接続部ＡＣ３と第４電源接続部ＡＣ４とが短絡することにより蛍光ランプのフィラメントの役割を果たすようにしている。このとき、第１電源接続部ＡＣ１を介して入力された第１交流電源は第１ダイオードＤ１に入って光源部２４１を点灯させた後に第３ダイオードＤ３を介して安定器に戻るようにしているので、グロースタータ方式の場合も電気の流れに問題がない。
【００４１】
第３電源接続部ＡＣ３及び第４電源接続部ＡＣ４に印加される電圧は半波整流方式であり、交流電圧が印加されると正の周期は通過させて負の周期は遮断するので、結果として正の波形のみを有する。すなわち、正の周期では順方向バイアスとなり、負の周期ではダイオードの作用により遮断されるのである。第１整流部２０４により全波整流された直流と第２整流部２０５により半波整流された直流が重畳することにより、発光ダイオード回路に高い電圧が誘起される現象を低減することができ、光源部２４１を安定に点灯維持することができる。もし、発光ダイオードランプ２００が老朽した安定器を有する照明装置に取り付けられた場合、安定器により高い電圧が誘起されることがあるが、この場合も、第１ＰＴＣ素子ＰＴＣ１及び第２ＰＴＣ素子ＰＴＣ２により定格以上の電圧及び電流を遮断して製品信頼性を向上させることができる。
【００４２】
定電流制御部２０６は、第１整流部２０４と第２整流部２０５の合成電源を光源部２４１に供給し、光源部２４１に定格電源が供給されるように制御する。駆動部２０１は、光源部２４１の正極ＬＥＤ＋に接続するための正極接続端子と、光源部２４１の負極ＬＥＤ−に接続するための負極接続端子とを有する。本発明に関連して、定電流制御部２０６は、パルス幅変調（Pulse Width Modulation）制御のための駆動ＩＣ Ｕ１と、負極接続端子に接続されるスイッチングトランジスタＱ１と、スイッチングトランジスタＱ１と駆動ＩＣ Ｕ１の電流検知部ＣＳ間に接続され、互いに並列に接続される複数の抵抗Ｒ５、Ｒ６、Ｒ７、Ｒ８、Ｒ９と、スイッチングトランジスタＱ１と負極接続端子間に接続されるインダクタンスＬ３とを含んでもよい。インダクタンスＬ３は、光源部２４１の負極ＬＥＤ−を介して出力される電源の脈流がスイッチングトランジスタＱ１に流入することを防止する。
【００４３】
駆動ＩＣ Ｕ１は、抵抗Ｒ５、Ｒ６、Ｒ７、Ｒ８、Ｒ９の電圧である電流検知部ＣＳの電圧を内部に設定された所定の基準電圧と比較した結果に基づいてスイッチングトランジスタＱ１を流れる電流を検知し、その結果に応じてスイッチングトランジスタＱ１のゲート端子の電圧を制御するパルス信号をゲート端子を介して出力する。ここで、前記パルス信号のデューティ比（duty ratio）は抵抗Ｒ３によって決定されるようにしてもよい。
【００４４】
スイッチングトランジスタＱ１のゲート端子に接続される抵抗Ｒ４及びダイオードＤ８は、スイッチングトランジスタＱ１のスイッチング動作により発生するスイッチングノイズ（switching noise）を除去してダンピング回路を構成する。スイッチングトランジスタＱ１と並列に接続されるコンデンサＣ５は、スイッチングトランジスタＱ１のスイッチング動作により発生するスイッチングノイズを抑制する。よって、発光ダイオードランプ２００の周辺の電子機器は、発光ダイオードランプ２００から発生するスイッチングノイズの影響を受けることなく正常に動作することができる。
【００４５】
ダイオードＤ７は、光源部２４１の正極ＬＥＤ＋に供給される直流電源がスイッチングトランジスタＱ１のドレイン端子に直接流入することによるスイッチングトランジスタＱ１の破壊を防止する。
【００４６】
コンデンサＣ６、Ｃ７及び抵抗Ｒ１０は、光源部２４１の正極ＬＥＤ＋に供給される直流電源に含まれるノイズ又は脈流を除去する役割を果たす。
【００４７】
このように、第１整流部２０４の全波整流方式と第２整流部２０５の半波整流方式で生成される直流電圧は、ヒューズＦ１を経て第３コンデンサＣ３により平滑化が行われる。平滑化された電圧は、光源部２４１に印加され、インダクタンスＬ３を経て駆動ＩＣ Ｕ１とスイッチングトランジスタＱ１によりスイッチングされ、抵抗Ｒ５、Ｒ６、Ｒ７、Ｒ８、Ｒ９により定電流制御が行われる。
【００４８】
図６は本発明の一実施形態による安定器互換型発光ダイオードランプ２００の斜視図であり、図７は図６の安定器互換型発光ダイオードランプ２００を反対側から見た分解斜視図である。
【００４９】
同図に示すように、本実施形態の発光ダイオードランプ２００は、ランプ本体２１０とソケット部２５０とを有する形態となっている。ランプ本体２１０は、円環状に形成され、内部に配置された発光ダイオードにより照明効果を発揮する。ソケット部２５０には、従来の蛍光ランプの接続構造のように４つの接続ピン２８０が設けられる。接続ピン２８０は、従来の蛍光ランプ照明装置の電気的要素である安定器に接続される。そのために、ソケット部２５０の内部には、蛍光ランプ照明装置に適用される電気的要素から供給される電源をランプ本体２１０の内部の発光ダイオードの動作のための電源に変換する手段が備えられてもよい。
【００５０】
ランプ本体２１０は、外部に光を発散する部分である拡散リング２２０と内部の光源を支持して光源から発生する熱を消散させるように形成される放熱リング２３０とが組み立てられた形態となっている。拡散リング２２０及び放熱リング２３０は、円環状に形成され、互いに組み立てられて１つのチューブ形状を形成する。拡散リング２２０は、放熱リング２３０より相対的に大きい形態であってもよい。よって、拡散リング２２０と放熱リング２３０の組立線ＰＬはランプ本体２１０の上下中心線よりは上方に位置する（図６を参照）。
【００５１】
ソケット部２５０は、第１ソケットセグメント２６０と第２ソケットセグメント２７０とが組み立てられた形態であってもよい。以下、その詳細について説明する。
【００５２】
図７は図６の安定器互換型発光ダイオードランプ２００を反対側から見た分解斜視図であり、図８は本発明の一実施形態における放熱リング２３０と発光ダイオード基板２４０の組立構造を説明するための分解斜視図である。
【００５３】
同図に示すように、ランプ本体２１０の内部には、円形に配列された複数の発光ダイオード２４１が設けられた発光ダイオード基板２４０が収容される。機構的には、発光ダイオード基板２４０が放熱リング２３０に固定された形態である。そのために、放熱リング２３０には、円形の発光ダイオード基板２４０を固定するように、複数のフック２３６が形成されてもよい。フック２３６は、発光ダイオード基板２４０の内周及び外周をそれぞれ固定するように２列に配置された形態であってもよい。
【００５４】
発光ダイオード基板２４０は、複数の円弧状のセグメント基板２４０Ａ、２４０Ｂ、２４０Ｃが組み合わせられた形態であってもよい。発光ダイオード基板２４０を構成する複数のセグメント基板２４０Ａ、２４０Ｂ、２４０Ｃの組み立てのために、放熱リング２３０には、最初のセグメント基板２４０Ａの基準位置をガイドするためのストッパ突起２３３が形成されるようにしてもよい。
【００５５】
発光ダイオード基板２４０には発光ダイオード２４１が配置されるのに対し、ソケット部２５０には電源基板２９０が配置される。電源基板２９０は、接続ピン２８０を介して供給された電源を発光ダイオード２４１の動作のための電源に変換するように構成される。
【００５６】
図９は本発明の一実施形態における拡散リング２２０と放熱リング２３０の組立構造を説明するための概念図である。本発明による安定器互換型発光ダイオードランプ２００は、拡散リング２２０と放熱リング２３０を締結する締結部を含んでもよい。締結部は、拡散リング２２０に形成される第１突起部２２５と放熱リング２３０に形成される第１フック２３５とを含む形態であってもよい。第１突起部２２５は、拡散リング２２０の内周側端部及び外周側端部に円周方向に離隔して複数形成されてもよい。第１フック２３５は、放熱リング２３０の内周側端部及び外周側端部における第１突起部２２５の位置に対応する位置に形成されてもよい。第１フック２３５は、放熱リング２３０と拡散リング２２０が当接した状態で放熱リング２３０と拡散リング２２０を垂直方向に加圧すると第１突起部２２５に係止されるように形成される（スナップフィット方式）。
【００５７】
また、締結部は、拡散リング２２０の第１突起部２２５の周囲に形成される第１スライド凹部２２７と、放熱リング２３０の第１フック２３５の周囲に形成される第２スライド凹部２３７とを含んでもよい。第１スライド凹部２２７は、第１フック２３５が第１突起部２２５から外れるように、放熱リング２３０と拡散リング２２０が当接した状態で放熱リング２３０又は拡散リング２２０を回動させたとき、第１フック２３５の移動空間を提供する。これと同様に、第２スライド凹部２３７は、第１突起部２２５が第１フック２３５から外れるように、放熱リング２３０と拡散リング２２０が当接した状態で放熱リング２３０又は拡散リング２２０を回動させたとき、第１突起部２２５の移動空間を提供する。
【００５８】
図１０及び図１１は本発明の一実施形態における接続ピン２８０と電源基板２９０の接続構造を説明するための図であり、図１０は電源基板２９０が第２ソケットセグメント２７０に取り付けられる前の状態を示し、図１１は電源基板２９０が第２ソケットセグメント２７０に取り付けられた状態を示す。
【００５９】
同図に示すように、第２ソケットセグメント２７０は、電源基板２９０の押圧により電源基板２９０を締結するように形成されるフック２７３を備えてもよい。接続ピン２８０は、第２ソケットセグメント２７０の外側に突出する第１延長部２８１と、第２ソケットセグメント２７０の内側に突出する第２延長部２８２とを含んでもよい。第２ソケットセグメント２７０には、第１延長部２８１の固定領域が大きくなるように内側に突出した突出支持部２７４が形成されてもよい。フック２７３は、電源基板２９０が接続ピン２８０に対する距離を一定に維持するようにする役割を果たす。
【００６０】
電源基板２９０には、電源基板２９０を第２ソケットセグメント２７０に固定する際に接続ピン２８０が弾性的に接触できるように形成される弾性接点部２９５が備えられてもよい。弾性接点部２９５は、第２延長部２８２の端部に接触することにより押圧されるドーム（dome）状に形成されてもよい。
【００６１】
電源基板２９０は、第２延長部２８２に対向する面に弾性接点部２９５が接触する導電性パッド部（符号なし）と、弾性接点部２９５の縁部で弾性接点部２９５を導電性パッド部に固定する接着フィルム（図示せず）とを含んでもよい。導電性パッド部は、弾性接点部２９５が接触するものであり、導電性ドームを使用するキーパッド技術に用いられるパッド構造とは異なり、１種類のパターンのみ配置される。また、接続ピン２８０の第２延長部２８２が接触するようにしなければならないので、基板への導電性ドームの固定のために導電性ドーム全体に絶縁体の接着フィルムを覆って貼り付ける形態とは異なる。
【００６２】
このような発光ダイオードランプ２００の機構的構造によれば、ランプ本体２１０の内部に発光ダイオード基板２４０を配置し、発光ダイオード基板２４０と独立してソケット部２５０の内部に電源基板２９０を配置することにより、ソケット部２５０を組み立てる際に電源基板２９０の固定力を安定して維持することができ、接続ピン２８０への電源基板２９０の電気的接続性を改善することができる。弾性接点部２９５は、安定した接続構造に効果的であり、製造面で量産性を向上させることができる。また、放熱リング２３０に第１フック２３５及び第２スライド凹部２３７を適用し、拡散リング２２０に第１突起部２２５及び第１スライド凹部２２７を適用することにより、押圧によるスナップフィット方式の組み立てと共にスライド方式の組み立てが可能になり、組立性が改善される。
【００６３】
図１２〜図１４は本発明の他の実施形態における接続ピン３８０と電源基板３９０の接続構造を説明するための図であり、図１２は電源基板３９０が第２ソケットセグメント３７０に取り付けられる前の状態を示し、図１３は電源基板３９０が第２ソケットセグメント３７０に取り付けられた状態を示し、図１４は電源基板３９０の切欠型レセプタクル３９８に接続ピンの第２延長部３８２が接続された状態を示す拡大図である。
【００６４】
本実施形態の電源基板３９０には、図１０の弾性接点部２９５の代わりに、切欠型レセプタクル３９８が取り付けられる。切欠型レセプタクル３９８は、接続ピン３８０の第２延長部３８２が弾性的に挿入されるように形成されてもよい。切欠型レセプタクル３９８は、切欠凹部３９８ａを有する円筒状導体が電源基板３９０に実装された形態であって、接続ピン３８０の第２延長部３８２が挿入されると、切欠凹部３９８ａが弾性的に広がることにより接続ピン３８０の安定した接続状態を維持する。
【００６５】
以上説明した安定器互換型発光ダイオードランプは、上記実施形態の構成や方法に限定されるものではなく、各実施形態の全部又は一部を選択的に組み合わせて構成することで様々に変形することができる。
【符号の説明】
【００６６】
１００、１００’、１００’’  照明装置
１０１、１０１’’  磁気式安定器
１０１’  電子式安定器
１０２、１０２’  スタータ
２００  発光ダイオードランプ
２０１  駆動部
２０２  第１接続部
２０３  第２接続部
２０４  第１整流部
２０５  第２整流部
２０６  定電流制御部
２１０  ランプ本体
２２０  拡散リング
２２５  第１突起部
２２７  第１スライド凹部
２３０  放熱リング
２３５  第１フック
２３６  フック
２３７  第２スライド凹部
２４０  発光ダイオード基板
２４１  光源部
２５０  ソケット部
２６０  第１ソケットセグメント
２７０  第２ソケットセグメント
２７３  フック
２７４  突出支持部
２８０  接続ピン
２８１  第１延長部
２８２  第２延長部
２９０  電源基板
２９５  弾性接点部
ＡＣ１  第１電源接続部
ＡＣ２  第２電源接続部
ＡＣ３  第３電源接続部
ＡＣ４  第４電源接続部
ＰＴＣ１  第１ＰＴＣ素子
ＰＴＣ２  第２ＰＴＣ素子
【図１】
2019129156.tif 000003
【図２】
2019129156.tif 000004
【図３】
2019129156.tif 000005
【図４】
2019129156.tif 000006
【図５】
2019129156.tif 000007
【図６】
2019129156.tif 000008
【図７】
2019129156.tif 000009
【図８】
2019129156.tif 000010
【図９】
2019129156.tif 000011
【図１０】
2019129156.tif 000012
【図１１】
2019129156.tif 000013
【図１２】
2019129156.tif 000014
【図１３】
2019129156.tif 000015
【図１４】
2019129156.tif 000016